(57)【要約】【課題】近年住宅事情と共に、狭小地可径行が進み天井小屋収納スペースを有効利用した住宅が多く見られ、より効率的に居住スペース空間の活用が図られている。それらに対し現代の問題点は妻側、桁側寸法が思いの他狭く、天井小屋空間に於いて高さが十分取れ無い設計が多く見られ、人間が立って歩き又は作業を行う事が思いの他困難で有り、又収納量と共に足の踏み場も無い程と成るのが通例と成り、狭小地住宅では広めの小屋収納スペースは馴染まないと思われる。現実的には天井小屋収納昇降口はしご付近での作業が主に成され、それらの解決策が求められていた。【解決手段】本発明は、狭小地可径行が進む中に於いて、天井小屋収納スペースの有効利用を効率良く行い、物の出し入れを可能とした物である。天井小屋収納庫昇降口付近の作業範囲を、Ｙの字に似た形で補助梯子装置を用い足場として広げ、天井裏に登る事無く、又足元付近に補助梯子ステップ板が有る事により、高所恐怖感を抱く事無く効率的な作業を可能とした物である。  【選択図】図１
2011236567.tif 000002
【特許請求の範囲】
【請求項１】
脱着可能とした、スライドアーム桁材を両サイドに相対させた状態で渡し、其の間に踏板材を取り外し可能な状態で渡し、既存小屋裏収納梯子開脚後その上部に、アルファベットのＹ字に似た状態で既存小屋裏収納梯子の簓桁と、既存梯子枠本体の吊元と反対側に取り付けたＬ型鋼板中央部リングにスライドアーム桁材先端フック部を引っ掛け固定可能とした事を特徴とする脱着可能補助梯子装置である。
【請求項２】
前記載の、スライドアーム桁材を鋼板材使用は勿論の事、補強鋼材を併用した木製、強化プラスチック、複合炭素繊維、及び炭素繊維、アルミニュウム板材より構成された事を特徴とする請求項1に記載の脱着可能補助梯子装置である。
【請求項３】
スライドアーム桁材は、既存小屋裏収納梯子の簓桁に被せるように挟み、該ボルト蝶ネジの回転を内部Ｌ型長辺鋼材に伝え、圧設固定させ固定位置を自由にスライドアーム桁材軸受けユニット部分で、位置決めし固定できる事を特徴とする請求項1及び2に記載の脱着可能補助梯子装置である。
【請求項４】
請求項３に記載の、軸受けユニット部の低部長辺鋼板材ビス孔を備え、既存小屋裏収納梯子本体の煽り板中央部両サイドに直接木ネジ固定可能とする。請求項1及び2に記載の脱着可能補助梯子装置である。
【請求項５】
請求項３及び請求項４に記載のスライドアーム桁材は、軸受けユニット部を中心に自在に伸縮動と共に回転可能とした事を特徴とする。請求項1及び2に記載の脱着可能補助梯子装置である。
【請求項６】
踏板材は、前記載のスライドアーム桁材間に取り外し可能な状態として踏板材両端部に止出された雄部を、スライドアーム桁材間相対面に該孔された雌部に挿入され固定され、収納される際は踏板材両端の単止出部を吊軸に、それぞれのスライドアーム桁材と並行して接面さ収納出来る、請求項１から5に記載の脱着可能補助梯子装置である。
【請求項７】
前記載の、スライドアーム桁材は、装着後又は装着し作業終了後のスライドアーム桁材を、既存天井小屋収納梯子本体の吊元と対面側に取り付けた、雌引っ掛けリング固定板の引っ掛けリングに挿入されたまま、既存天井小屋収納梯子本体の煽り蓋と脱着可能補助梯子装置本体を装着したままの状態で同時に、既存梯子を閉じる事を可能とした、請求項1から5に記載の脱着可能補助梯子装置である。
【請求項８】
請求項１から6に記載の脱着可能補助梯子装置は、小屋裏収納庫昇降口付近で動作を、天井裏に登る事無く荷物の出し入れを可能とした事を特徴とする脱着可能補助梯子装置である。
【発明の詳細な説明】
【技術分野】
【０００１】
近年住宅事情と共に、狭小地可径行が進み天井小屋収納スペースを有効利用した住宅が多く見られ、より効率的に居住スペース空間の活用を図る手段として、効率的且つ安全に小屋裏収納庫を設け内部に多くの荷物を収納し又納出する事が多くなり、収納量と共に足の踏み場が減少し昇降口付近の納出作業を余儀なくされ、其の昇降口付近の足場を広く使用出来る事を可能とする補助梯子装置である。
【背景技術】
【０００２】
近年住宅事情と共に、狭小地可径行が進み天井小屋収納スペースを有効利用した住宅が多く見られ、より効率的に居住スペース空間の活用が図られている。それらに対し現代の問題点は妻側、桁側寸法が思いの他狭く、天井小屋空間に於いて高さが十分取れ無い設計が多く見られ人間が立って歩き又は作業を行う事が思いの他困難で有る。又収納量と共に足の踏み場も無く成るのが通例とされ、狭小地住宅では広めの小屋収納スペースは馴染まないと思われ、現実的には天井小屋収納昇降口梯子付近での作業が主に成されそれら解決策が求められていた。
【０００３】
屋根裏床面との高低差を解消した延長梯子部位を使用した（特許文献1参照）、又天井小屋収納枠と段差を設けると有る（特許文献2参照）、それら天井小屋収納内部に人間が立って歩き又は作業を行う事が思いの他困難で有り、又収納量と共に足の踏み場も無い程と成るのが通例と成り、狭小地住宅では広めの天井小屋収納スペースは馴染まないと思われ、それら狭小地可径行と共に住宅事情としての解決策が求められていた。
【先行技術文献】
【特許文献】
【０００４】
【特許文献１】特許公開平１０-６１３５８
【特許文献２】特許公開２００１-２２７２７２
【発明の概要】
【発明が解決しようとする課題】
【０００５】
近年住宅事情と共に、狭小地可径行が進み天井小屋収納スペースを有効利用した住宅が多く見られ、より効率的に居住スペース空間の活用が図られている。それらに対し現代の問題点は妻側、桁側寸法が思いの他狭く、天井小屋空間に於いて高さが十分取れ無い設計が多く見られ人間が立って歩き又は作業を行う事が思いの他困難で有り、又収納量と共に足の踏み場も無く成るのが通例となり、狭小地住宅では広めの小屋収納スペースは馴染まないと思われ、現実的には天井小屋収納昇降口梯子付近での作業が主に成され、それらの解決策が求められていた。  
【課題を解決するための手段】
【０００６】
本発明は、狭小地可径行が進む中に於いて、天井小屋収納スペースの有効利用を効率良く行い、物の出し入れの効率向上を可能とした物である。天井小屋収納庫昇降口付近の作業範囲を、Ｙの字に似た形で補助梯子装置を用い足場として広げ、天井裏に登る事無く足元付近に補助梯子ステップ板を配した事により、高所恐怖感を抱く事無く効率的な作業を可能とした物である。
【発明の効果】
【０００７】
本発明は、図1の展開図で示すよう、補助梯子が足元付近に有り一定の安心感を得られ、低学年から高齢者まで幅広く落下の危険なく安心して作業に取り込む事が期待できる。
【図面の簡単な説明】
【０００８】
【図１】装置完成図
【図２】スライドアーム桁材
【図３】スライドアーム踏板材
【図４】スライドアーム桁材回転軸受固定金物
【図５】受け金物リング図
【図６】雌2口瓜型孔
【図７】雄吊元差し込み拡大図
【発明を実施するための形態】
【０００９】
図２について説明する。Ｕｄ部材がスムーズにＵｓ部材内を伸縮するのを助けガイドレールの役割とされ、図2のacに図3のＳ1が挿入され対面させたＵｓ部材のＣのa1に図3のＳｄを挿入させる事で補助梯子上段ステップの完成と成り、之と逆に図3の下段Ｓ部材を図2のＤに挿入させる。又Ｔ部の固定ユニットは、既存梯子図1のＫｈに固定可能とする他、煽り蓋図1のＥの板材に直接補助梯子装置のアーム回転軸部を、固定可能とした事を特徴とする補助梯子装置で有る。
【００１０】
図３について説明する。この装置は本発明の補助階段、踏板材の役割としてＳｅ部材がスムーズにＳ部材内を伸縮するのを助けガイドレールの役割としている。Ｕｓの両桁材端は、サイドアームの該孔Ｓ1部がａｃ部に、又Ｓｄ部を対面するa1部にそれぞれ挿入されて踏板材と成る、作業終了時はＳｄ部をa１より外しac部とＳ1部は挿入されたまま、各アームＵｓ部と並行接面させて収納固定する。その際ＦｋとＲ1は引っ掛けまま、既存梯子を折りたたみ天井煽り板と共に収納出来る事を特徴とする補助梯子装置で有る。       
【００１１】
図４について説明する。図1のＫｈ簓桁に挟み被せ辺方向に自在に該ボルト蝶ネジnの回転によりＢ2部とＢ下部の間で圧設し固定される。又その際緩み及び長期の木やせが予測され、ｔ１部ｔ2部のスパイク型スベリ止めを備えている。又図4の装置全部を図1の梯子本体の煽り蓋のＥ部板材に、Ｗ3のビス孔に挿入させて直接木ネジ固定出来る事を可能とした事を特徴とする補助梯子装置で有る。            
【００１２】
図５について説明する。既存天井小屋収納昇降口梯子枠本体、図1のＲ部材をＲ2の目ねじにて枠本体に直接固定しＦｋフック部材の先端を受け止め、引っ掛けて固定可能とした長方形鋼板材をＬ型に加工し長辺方向中央部に、図5のＲ1鋼材リングを備え、既存天井小屋収納昇降口梯子固定箇所と対面方向枠本体に直接木ネジ固定され、安定的且つ、長期に渡り脱落防止を防ぐよう既存梯子枠本体にＲ部を肩乗固定させた、単純構造とした事を特徴とする補助梯子装置で有る。
【００１３】
本発明は、図1の展開図で示すよう、補助梯子が足元付近に有り一定の安心感を得られ、高所恐怖に陥らず作業出来る事を特徴とする補助梯子装置で有る。
【００１４】
本発明は、既存天井小屋収納昇降口梯子を備えた家屋に於いて、有効に取り付可能とした事は勿論のこと、補助梯子を備えた新規梯子ユニット装置として構成出来る事を特徴とする補助梯子装置で有る。
【符号の説明】
【００１５】
a1・・・  踏板材脱着挿入孔
ac・・・  踏板材吊元 挿入孔
Ｂ・・・  枠固定金物
Ｂ２・・・圧設鋼板
Ｂｓ・・・該ボルト蝶ネジ
Ｃ・・・  上段挿入孔全体
Ｄ・・・  下段挿入孔全体
Ｅ・・・  梯子ユニット煽り板
Ｆｋ・・・雄引っ掛けフック
Ｋｈ・・・既存梯子桁
n・・・・ 固定ナット
Ｒ・・・  雌引っ掛けリング固定板
Ｒ1・・・ 雌引っ掛けリング
Ｒ2・・・ 止め目ネジ
Ｓ・・・  踏板材
Ｓ1・・・ 踏板固定雄フック
Ｓｂ・・・踏板雌脱着フック
Ｓｅ・・・スライド踏架台＝踏板材
Ｔ・・・  固定金物ユニット
Ｔ1・・・ 下部滑り止めスパイク
Ｔ2・・・ 上部滑り止めスパイク
Ｕｄ・・・スライドアーム桁材スライド部
Ｕｄｃ・・スライドアーム桁材回転軸受部
Ｕｆ・・・鉄鋼材軽量化削孔部
Ｕｓ・・・スライドアーム桁部
Ｗ・・・  梯子本体枠
Ｗ２・・・踏板材作動立ち位置
Ｗ３・・・煽り蓋固定部
【図１】
2011236567.tif 000003
【図２】
2011236567.tif 000004
【図３】
2011236567.tif 000005
【図４】
2011236567.tif 000006
【図５】
2011236567.tif 000007
【図６】
2011236567.tif 000008
【図７】
2011236567.tif 000009